(57)【要約】【課題】簡単な構成で発光可能で、且つ安価な発光制御システムを提供する。【解決手段】マイクロホン１６又は音声信号発生装置１８からのアナログ信号を親機１４において電波に変換し、各子機２４（１）〜２４（ｎ）に送信する。前記各子機２４（１）〜２４（ｎ）において、受信された前記電波から変換されたアナログ信号は、各フィルタ部４６ａ、４６ｂ、４６ｃを通過して各増幅部４８ａ、４８ｂ、４８ｃで増幅される。増幅された信号のレベルがＬＥＤ５０、５２、５４の発光レベルよりも高ければ、前記各ＬＥＤ５０、５２、５４が発光する。【選択図】図２
2005251450.tif 000002
【特許請求の範囲】
【請求項１】
親機と、
前記親機に無線により接続され、複数の周波数選択部と、前記各周波数選択部に接続される発光部とを有する少なくとも１つの子機と、
を備え、
前記親機は前記子機に、音声を示すアナログ信号を送信し、
前記子機は、受信された前記アナログ信号のうち、前記各周波数選択部を通過する信号に基づいて前記発光部を発光させる
ことを特徴とする発光制御システム。
【請求項２】
請求項１記載の発光制御システムにおいて、
前記各周波数選択部は、それぞれ異なる周波数帯域の信号を通過させるフィルタであり、
前記発光部からの光の色は、通過した前記信号の前記周波数帯域に基づいて変化する
ことを特徴とする発光制御システム。
【請求項３】
請求項２記載の発光制御システムにおいて、
前記発光部の輝度は、通過した前記信号の振幅に基づいて変化する
ことを特徴とする発光制御システム。
【請求項４】
外部からの音声をアナログ信号に変換する音声・信号変換部と、前記音声・信号変換部に接続される複数の周波数選択部と、前記各周波数選択部に接続される発光部とを有する少なくとも１つの発光装置を備え、
前記発光装置は、前記アナログ信号のうち、前記各周波数選択部を通過する信号に基づいて前記発光部を発光させる
ことを特徴とする発光制御システム。
【請求項５】
少なくとも１つの親機と、
前記親機に無線により接続される少なくとも１つの携帯端末と、
前記携帯端末に接続され、複数の周波数選択部と、前記各周波数選択部に接続される発光部とを有する子機と、
を備え、
前記携帯端末は、前記親機に信号の送信を要求する送信要求信号を送信し、
前記親機は、前記送信要求信号に基づいて、音声を示すアナログ信号を前記無線及び前記携帯端末を介して前記子機に送信し、
前記子機は、受信された前記アナログ信号のうち、前記各周波数選択部を通過する信号に基づいて前記発光部を発光させる
ことを特徴とする発光制御システム。
【発明の詳細な説明】
【技術分野】
【０００１】
本発明は、スタジアム、スタジオ、ホール等における演出効果を高めるための発光装置を制御する発光制御システムに関する。
【背景技術】
【０００２】
スタジアム、スタジオ、ホール等のイベント会場における雰囲気を盛り上げるために、様々な演出方法が採られている。例えば、音に合わせて複数のスポットライトから発光する光の色や光の照射位置を変化させる演出方法、あるいは、観客にペンライトを持たせて、複数のペンライトからの発光によって表現される所定のパターンを変化させる等の演出方法を挙げることができる。
【０００３】
ところで、従来は、スポットライトやペンライト等の発光装置と、前記発光装置を制御する制御装置とは、ケーブルで接続されていた。従って、イベント会場での据付けの際、前記ケーブルを引き回さなければならず、作業者は多大な労力と時間の消費とを強いられていた。また、前記イベント会場の床下等が前記ケーブルにより雑然となるという問題もあった。
【０００４】
そこで、前記発光装置と前記制御装置とを前記ケーブルで接続したことに伴う上述した問題を解決するために、従来、携帯発光装置と発光状態制御装置とを無線を介して接続するようにした技術が提案されている（特許文献１参照）。
【０００５】
特許文献１では、複数の携帯発光装置にそれぞれアドレスが付与され、イベント会場の各観客席にもアドレスが付与されている。そして、前記携帯発光装置のアドレスと、前記携帯発光装置を持った観客が座る観客席のアドレスとが一致した状態で、発光状態制御装置から前記携帯発光装置にデジタル信号である発光制御信号を送信すると、前記携帯発光装置が発光する。
【０００６】
【特許文献１】特開２００３−３６９８１号公報（図１、図２）
【発明の開示】
【発明が解決しようとする課題】
【０００７】
しかしながら、特許文献１では、デジタル信号を用いて携帯発光装置を発光させているので、前記携帯発光装置から発光する光の階調制御は段階的になり、その結果、前記階調制御に必要な制御情報は膨大な量となる。従って、前記携帯発光装置の内部構成が複雑となり、製造コストが高騰するという問題があった。
【０００８】
本発明は、上述した問題を解決するためになされたものであり、簡単な構成で発光可能であり、且つ安価な発光制御システムを提供することを目的とする。
【課題を解決するための手段】
【０００９】
本発明に係る発光制御システムは、親機と、前記親機に無線により接続され、複数の周波数選択部と、前記各周波数選択部に接続される発光部とを有する少なくとも１つの子機と、を備え、前記親機は前記子機に、音声を示すアナログ信号を送信し、前記子機は、受信された前記アナログ信号のうち、前記各周波数選択部を通過する信号に基づいて前記発光部を発光させることを特徴とする（請求項１記載の発明）。
【００１０】
これにより、スタジアム、スタジオ、ホール等のイベント会場において、歌手等の演者の前記音声に基づく前記アナログ信号を、前記親機から前記子機に送信すると、前記アナログ信号を受信した前記子機は、前記アナログ信号に基づいて前記発光部を発光させる。すなわち、前記音声に対応して前記発光部が発光することになり、前記イベント会場の演出を盛り上げることができる。
【００１１】
また、前記子機が前記周波数選択部と前記発光部とから構成されているので、従来の携帯発光装置と比較して、前記子機の内部構成が簡素化され、製造コストを低減することが可能となる。
【００１２】
さらに、前記親機から前記子機に送信される信号が前記アナログ信号であるので、前記子機に対する制御情報を減少させることが可能となる。
【００１３】
さらにまた、前記子機を前記イベント会場内に複数配置した状態で、前記親機から前記各子機に前記アナログ信号を送信した場合、前記各子機の各発光部は、前記演者の前記音声に従って一斉に発光するので、前記イベント会場の演出をより一層盛り上げることができる。
【００１４】
この場合、前記各周波数選択部は、それぞれ異なる周波数帯域の信号を通過させるフィルタであり、前記発光部からの光の色は、通過した前記信号の前記周波数帯域に基づいて変化することが好ましい（請求項２記載の発明）。
【００１５】
これにより、前記音声の周波数帯域によって前記発光部から様々な光を発光させることが可能となり、前記イベント会場の演出をさらに盛り上げることができる。
【００１６】
また、前記発光部の輝度は、通過した前記信号の振幅に基づいて変化することが好ましい（請求項３記載の発明）。
【００１７】
これにより、前記音声の音量に基づいて前記発光部の輝度が変化するので、前記イベント会場の演出をより一層盛り上げることができる。
【００１８】
また、本発明に係る発光制御システムは、外部からの音声をアナログ信号に変換する音声・信号変換部と、前記音声・信号変換部に接続される複数の周波数選択部と、前記各周波数選択部に接続される発光部とを有する少なくとも１つの発光装置を備え、前記発光装置は、前記アナログ信号のうち、前記各周波数選択部を通過する信号に基づいて前記発光部を発光させることを特徴とする（請求項４記載の発明）。
【００１９】
この場合、歌手等の演者の前記音声は、前記音声・信号変換部に直接入力され、前記音声から変換された前記アナログ信号に基づいて前記発光部が発光する。そのため、前記発光制御システムは、前記音声が響き渡る程度の比較的小規模なイベント会場等での演出に有用である。
【００２０】
さらに、本発明に係る発光制御システムは、少なくとも１つの親機と、前記親機に無線により接続される少なくとも１つの携帯端末と、前記携帯端末に接続され複数の周波数選択部と前記各周波数選択部に接続される発光部とを有する子機と、を備え、前記携帯端末は、前記親機に信号の送信を要求する送信要求信号を送信し、前記親機は、前記送信要求信号に基づいて、音声を示すアナログ信号を前記無線及び前記携帯端末を介して前記子機に送信し、前記子機は、受信された前記アナログ信号のうち、前記各周波数選択部を通過する信号に基づいて前記発光部を発光させることを特徴とする（請求項５記載の発明）。
【００２１】
この場合、前記携帯端末は、前記親機に前記送信要求信号を送信し、前記親機は、前記送信要求信号に基づいて前記子機に前記アナログ信号を送信する。これにより、例えば、複数の親機から複数の子機にそれぞれ異なるアナログ信号を送信することにより、前記各子機の各発光部の輝度を変化させたり、前記各発光部からそれぞれ異なる色の光を発光させることも可能となる。これにより、イベント会場全体として、文字や絵等の意味のある表現を表示させることが可能となる。
【発明の効果】
【００２２】
上述したように、本発明によれば、スタジアム、スタジオ、ホール等のイベント会場において、歌手等の演者からの音声に基づくアナログ信号を、親機から子機に送信することにより、前記アナログ信号を受信した前記子機は、前記アナログ信号に基づいて発光部を発光させる。すなわち、前記音声に対応して前記発光部が発光することになり、前記イベント会場の演出を盛り上げることができる。また、前記子機が周波数選択部と前記発光部とから構成されているので、従来の携帯発光装置と比較して、前記子機の内部構成が簡素化され、製造コストを低減することが可能となる。
【００２３】
また、本発明によれば、歌手等の演者の音声は、音声・信号変換部に直接入力され、前記音声から変換されたアナログ信号に基づいて発光部が発光するので、前記音声が響き渡る程度の比較的小規模なイベント会場等での演出に有用である。
【００２４】
さらに、本発明によれば、携帯端末は、親機に送信要求信号を送信し、前記親機は、前記送信要求信号に基づいて子機にアナログ信号を送信する。これにより、例えば、複数の親機から複数の子機にそれぞれ異なるアナログ信号を送信することにより、前記各子機の各発光部の輝度を変化させたり、前記各発光部からそれぞれ異なる色の光を発光させることも可能となる。これにより、イベント会場全体として、文字や絵等の意味のある表現を表示させることが可能となる。
【発明を実施するための最良の形態】
【００２５】
本発明に係る発光制御システムについて、好適な実施の形態を挙げ、添付の図面を参照しながら以下に説明する。
【００２６】
第１の実施の形態に係る発光制御システム１０Ａは、図１に示すように、親機１４と、前記親機１４に接続されるマイクロホン１６と、前記親機１４に接続される音声信号発生装置１８と、無線２０を介して前記親機１４と接続され、且つ発光部２２（１）〜２２（ｎ）を各々有する複数の子機２４（１）〜２４（ｎ）とから基本的に構成される。
【００２７】
親機１４は、図２に示すように、マイクロホン１６又は音声信号発生装置１８からのアナログ信号を入力して処理する親機側制御部２６と、前記親機側制御部２６からの前記アナログ信号を送信することが可能な高周波信号（搬送波）に重畳させる処理（変調）を行う変調部２８と、変調された前記搬送波を増幅する増幅部３０と、親機用アンテナ３２とから構成される。
【００２８】
マイクロホン１６は、外部からの音声を電気信号としてのアナログ信号に変換し、前記アナログ信号を親機側制御部２６に出力する。
【００２９】
音声信号発生装置１８は、５００Ｈｚの低音を示す信号を発生する低音信号発生部３４と、２ｋＨｚの中音を示す信号を発生する中音信号発生部３６と、１５ｋＨｚの高音を示す信号を発生する高音信号発生部３８と、前記低音信号発生部３４と前記中音信号発生部３６と前記高音信号発生部３８とからの前記各信号を合成してアナログ信号を生成し、且つ前記アナログ信号を親機側制御部２６に出力する音声合成部４０とから構成されている。
【００３０】
子機２４（１）〜２４（ｎ）は、親機用アンテナ３２から送信された電波を受信する子機用アンテナ４２と、受信した前記電波に基づく電気信号を増幅する増幅部９０と、増幅された前記電気信号を復調してアナログ信号を得るための復調部４４と、得られた前記アナログ信号から高音を示す信号を取り出すための高音用フィルタ部４６ａと、前記アナログ信号から中音を示す信号を取り出すための中音用フィルタ部４６ｂと、前記アナログ信号から低音を示す信号を取り出すための低音用フィルタ部４６ｃと、前記各フィルタ部４６ａ、４６ｂ、４６ｃから出力された前記各信号を各々増幅するための増幅部４８ａ、４８ｂ、４８ｃと、増幅された前記各信号に基づいて各々発光する発光ダイオード５０、５２、５４とから構成されている。
【００３１】
この場合、高音用フィルタ部４６ａは１０〜２０ｋＨｚの信号を通過させるバンドパスフィルタであり、中音用フィルタ部４６ｂは１〜１０ｋＨｚの信号を通過させるバンドパスフィルタであり、低音用フィルタ部４６ｃは２０Ｈｚ〜１ｋＨｚの信号を通過させるバンドパスフィルタである。
【００３２】
また、発光ダイオード５０は赤色光を発光し、発光ダイオード５２は緑色光を発光し、発光ダイオード５４は青色光を発光する。前記発光ダイオード５０、５２、５４は、発光するか否かの単純なオン・オフ動作をするものであってもよいし、明るさ（階調）を調整することが可能なものであってもよい。
【００３３】
なお、本実施の形態では、これらの発光ダイオード５０、５２、５４は、単純なオン・オフ動作又前記各信号によって異なる明るさ（階調）で発光するものとして以下に説明し、且つ本実施の形態では、便宜的に、発光ダイオード５０を赤ＬＥＤ５０、発光ダイオード５２を緑ＬＥＤ５２、発光ダイオード５４を青ＬＥＤ５４として以下に説明する。
【００３４】
この場合、図１において、子機２４（１）〜２４（ｎ）は据え置き形の子機として記載しているが、図３に示す携帯可能なペンライト形の子機２４であってもよい。また、前記子機２４の先端部には半球状の発光部２２が設けられ、前記発光部２２内には棒状の赤ＬＥＤ５０、緑ＬＥＤ５２及び青ＬＥＤ５４が子機２４の長手方向に各々延在して設けられ、子機用アンテナ４２は前記子機２４に内蔵されている。
【００３５】
第１の実施の形態に係る発光制御システム１０Ａは、基本的には、以上のように構成されるものであり、次に、各子機２４（１）〜２４（ｎ）の各発光部２２（１）〜２２（ｎ）に対する発光制御について説明する。
【００３６】
前記発光制御システム１０Ａによる発光部２２（１）〜２２（ｎ）の発光制御として、外部からマイクロホン１６に音声を入力して発光部２２（１）〜２２（ｎ）を発光させる制御（以下、第１の発光制御という）と、音声信号発生装置１８においてアナログ信号を発生させて発光部２２（１）〜２２（ｎ）を発光させる制御（以下、第２の発光制御という）とについて説明する。
【００３７】
先ず、第１の発光制御について、図１及び図２を参照しながら説明する。
【００３８】
マイクロホン１６は外部からの音声を入力し、前記音声を電気信号であるアナログ信号に変換して親機側制御部２６に出力する。前記親機側制御部２６は、入力された前記アナログ信号を変調部２８に転送し、前記変調部２８は、前記アナログ信号を電波として送信することができる高周波信号（搬送波）に重畳させる変調処理を行う。変調された前記搬送波は、増幅部３０において増幅され、さらに親機用アンテナ３２から電波として各子機２４（１）〜２４（ｎ）に送信される。
【００３９】
親機用アンテナ３２から送信された前記各電波は、各子機２４（１）〜２４（ｎ）の子機用アンテナ４２で同時に受信され、その後、前記各電波に基づく各電気信号は増幅部９０で増幅され、さらに復調部４４において復調されてアナログ信号となる。
【００４０】
次に、得られた前記アナログ信号のうち、１０〜２０ｋＨｚの高音を示す信号は高音用フィルタ部４６ａを通過し、１〜１０ｋＨｚの中音を示す信号は中音用フィルタ部４６ｂを通過し、２０Ｈｚ〜１ｋＨｚの低音を示す信号は低音用フィルタ部４６ｃを通過する。前記各フィルタ部４６ａ、４６ｂ、４６ｃを通過した前記各信号は、増幅部４８ａ、４８ｂ、４８ｃによって各々増幅される。
【００４１】
ここで、高音用フィルタ部４６ａ及び増幅部４８ａを通過した前記信号のレベルが、赤ＬＥＤ５０の発光レベルよりも高ければ、前記信号に基づいて前記赤ＬＥＤ５０から赤色光が発光する。また、中音用フィルタ部４６ｂ及び増幅部４８ｂを通過した前記信号のレベルが、緑ＬＥＤ５２の発光レベルよりも高ければ、前記信号に基づいて前記緑ＬＥＤ５２から緑色光が発光する。さらに、低音用フィルタ部４６ｃ及び増幅部４８ｃを通過した前記信号のレベルが、青ＬＥＤ５４の発光レベルよりも高ければ、前記信号に基づいて前記青ＬＥＤ５４から青色光が発光する。
【００４２】
この場合、外部からマイクロホン１６に入力される前記音声の周波数帯域毎の音量レベルによって、ＬＥＤ５０、５２、５４の輝度を変化させることができる。例えば、高音（１０〜２０ｋＨｚ）の音量レベルが、低音（２０Ｈｚ〜１ｋＨｚ）及び中音（１〜１０ｋＨｚ）の音量レベルよりも高ければ、赤ＬＥＤ５０が緑ＬＥＤ５２及び青ＬＥＤ５４よりも明るく発光する。
【００４３】
また、中音の音量レベルが低音及び高音の音量レベルよりも高ければ、緑ＬＥＤ５２が赤ＬＥＤ５０及び青ＬＥＤ５４よりも明るく発光する。
【００４４】
さらに、低音の音量レベルが中音及び高音の音量レベルよりも高ければ、青ＬＥＤ５４が赤ＬＥＤ５０及び緑ＬＥＤ５２よりも明るく発光する。
【００４５】
また、外部からの音声のうち、低音及び中音の音量レベルが同じ大きさであり、高音が含まれていない場合には、緑ＬＥＤ５２及び青ＬＥＤ５４が発光し、外部から発光部２２（１）〜２２（ｎ）を見た場合、シアン光を視認することができる。
【００４６】
次に、第２の発光制御について説明する。
【００４７】
先ず、音声信号発生装置１８では、低音信号発生部３４において５００Ｈｚの信号を発生し、中音信号発生部３６において２ｋＨｚの信号を発生し、高音信号発生部３８において１５ｋＨｚの信号を発生する。次いで、前記音声信号発生装置１８は、前記各信号を音声合成部４０において合成してアナログ信号を生成し、親機側制御部２６に出力する。
【００４８】
親機側制御部２６は、入力された前記アナログ信号を変調部２８に転送し、前記変調部２８は、前記アナログ信号を電波として送信することができる高周波信号（搬送波）に重畳させる変調処理を行う。変調された前記搬送波は、増幅部３０において増幅され、さらに親機用アンテナ３２から電波として各子機２４（１）〜２４（ｎ）に送信される。
【００４９】
親機用アンテナ３２から送信された前記各電波は、各子機２４（１）〜２４（ｎ）の子機用アンテナ４２で同時に受信され、その後、前記各電波に基づく各電気信号は増幅部９０で増幅され、さらに復調部４４において復調されてアナログ信号となる。
【００５０】
ここで、得られた前記アナログ信号のうち、１５ｋＨｚの高音を示す信号は高音用フィルタ部４６ａを通過し、２ｋＨｚの中音を示す信号は中音用フィルタ部４６ｂを通過し、５００Ｈｚの低音を示す信号は低音用フィルタ部４６ｃを通過する。次いで、各フィルタ部４６ａ、４６ｂ、４６ｃを通過した前記各信号は、増幅部４８ａ、４８ｂ、４８ｃによって各々増幅される。
【００５１】
この場合、高音用フィルタ部４６ａ及び増幅部４８ａを通過した前記１５ｋＨｚ信号のレベルが、赤ＬＥＤ５０の発光レベルよりも高ければ、前記信号に基づいて前記赤ＬＥＤ５０から赤色光が発光する。また、中音用フィルタ部４６ｂ及び増幅部４８ｂを通過した前記２ｋＨｚの信号のレベルが、緑ＬＥＤ５２の発光レベルよりも高ければ、前記信号に基づいて前記緑ＬＥＤ５２から緑色光が発光する。さらに、低音用フィルタ部４６ｃ及び増幅部４８ｃを通過した前記５００Ｈｚの信号のレベルが、青ＬＥＤ５４の発光レベルよりも高ければ、前記信号に基づいて前記青ＬＥＤ５４から青色光が発光する。
【００５２】
第２の発光制御においても、第１の発光制御と同様に、低音信号発生部３４、中音信号発生部３６及び高音信号発生部３８から出力される信号のレベルの大きさによって、ＬＥＤ５０、５２、５４の輝度を変化させることができる。
【００５３】
例えば、高音信号発生部３８から出力される信号のレベルが、低音信号発生部３４及び中音信号発生部３６から出力される各信号のレベルよりも高ければ、赤ＬＥＤ５０が緑ＬＥＤ５２及び青ＬＥＤ５４よりも明るく発光する。
【００５４】
また、中音信号発生部３６から出力される信号のレベルが、低音信号発生部３４及び高音信号発生部３８から出力される各信号のレベルよりも高ければ、緑ＬＥＤ５２が赤ＬＥＤ５０及び青ＬＥＤ５４よりも明るく発光する。
【００５５】
さらに、低音信号発生部３４から出力される信号のレベルが、中音信号発生部３６及び高音信号発生部３８から出力される各信号のレベルよりも高ければ、青ＬＥＤ５４が赤ＬＥＤ５０及び青ＬＥＤ５４よりも明るく発光する。
【００５６】
また、音声合成部４０から出力されるアナログ信号のうち、低音及び中音の各信号のレベルが同じ大きさであり、高音の信号が含まれていない場合には、緑ＬＥＤ５２及び青ＬＥＤ５４が発光し、外部から発光部２２（１）〜２２（ｎ）を見た場合、シアン光を視認することができる。
【００５７】
第１の実施の形態に係る発光制御システム１０Ａでは、スタジアム、スタジオ、ホール等のイベント会場において、親機１４から各子機２４（１）〜２４（ｎ）に、例えば、演者の音声を示すアナログ信号を電波として送信すると、前記電波を受信した前記各子機２４（１）〜２４（ｎ）は、前記電波から変換されたアナログ信号に基づいて各発光部２２（１）〜２２（ｎ）を発光させる。これにより、前記音声に対応して前記各発光部２２（１）〜２２（ｎ）が発光することになり、前記イベント会場の演出を盛り上げることができる。
【００５８】
また、各子機２４（１）〜２４（ｎ）は、子機用アンテナ４２とフィルタ部４６ａ、４６ｂ、４６ｃと増幅部４８ａ、４８ｂ、４８ｃと発光部２２（１）〜２２（ｎ）とから構成されているので、前記各子機２４（１）〜２４（ｎ）は、従来の携帯型発光装置と比較して内部構成が簡素化され、安価に製造することができる。
【００５９】
さらに、親機１４から各子機２４（１）〜２４（ｎ）にはアナログ信号が送信されるので、前記各子機２４（１）〜２４（ｎ）に対する制御情報を減少させることが可能となる。
【００６０】
さらにまた、各子機２４（１）〜２４（ｎ）をイベント会場内に配置した場合、親機１４から各子機２４（１）〜２４（ｎ）にアナログ信号による電波を一斉に送信すると、各発光部２２（１）〜２２（ｎ）は前記演者の前記音声に従って一斉に発光するので、前記イベント会場の演出をより一層盛り上げることができる。
【００６１】
また、音声を示すアナログ信号の周波数帯域を変化させることによって、各発光部２２（１）〜２２（ｎ）から様々な色の光が発光するので、前記イベント会場の演出をさらに盛り上げることができる。
【００６２】
さらに、音声を示すアナログ信号のレベルによって、各発光部２２（１）〜２２（ｎ）の輝度を変化させることが可能となるので、前記イベント会場の演出をより一層盛り上げることができる。
【００６３】
次に、第２の実施の形態に係る発光制御システム１０Ｂについて、図４を参照しながら説明する。なお、第１の実施の形態に係る発光制御システム１０Ａと同一の構成要素については、同一の参照符号を付して、その詳細な説明を省略し、以下同様とする。
【００６４】
第２の実施の形態に係る発光制御システム１０Ｂは、図４に示すように、各子機２４（１）〜２４（ｎ）内において、マイクロホン５６がフィルタ部４６ａ、４６ｂ、４６ｃに接続して設けられている点で、第１の実施の形態に係る発光制御システム１０Ａ（図２参照）とは異なる。
【００６５】
ここで、前記発光制御システム１０Ｂの動作について説明する。
【００６６】
先ず、外部からマイクロホン５６に音声を入力すると、前記音声は電気信号であるアナログ信号に変換され、フィルタ部４６ａ、４６ｂ、４６ｃに出力される。出力された前記アナログ信号のうち、１０〜２０ｋＨｚの信号は高音用フィルタ部４６ａを通過し、１〜１０ｋＨｚの信号は中音用フィルタ部４６ｂを通過し、２０Ｈｚ〜１ｋＨｚの信号は低音用フィルタ部４６ｃを通過する。
【００６７】
この場合、高音用フィルタ部４６ａ及び増幅部４８ａを通過した前記信号のレベルが、赤ＬＥＤ５０の発光レベルよりも高ければ、前記信号に基づいて前記赤ＬＥＤ５０から赤色光が発光する。また、中音用フィルタ部４６ｂ及び増幅部４８ｂを通過した前記信号のレベルが、緑ＬＥＤ５２の発光レベルよりも高ければ、前記信号に基づいて前記緑ＬＥＤ５２から緑色光が発光する。さらに、低音用フィルタ部４６ｃ及び増幅部４８ｃを通過した前記信号のレベルが、青ＬＥＤ５４の発光レベルよりも高ければ、前記信号に基づいて前記青ＬＥＤ５４から青色光が発光する。
【００６８】
第２の実施の形態に係る発光制御システム１０Ｂでは、演者の音声が子機２４（１）〜２４（ｎ）のマイクロホン５６に直接入力され、前記音声から変換されたアナログ信号に基づいてＬＥＤ５０、５２、５４が発光するので、前記音声によって各発光部２２（１）〜２２（ｎ）の発光を制御することができる。なお、前記発光制御システム１０Ｂは、前記音声が響き渡る程度の比較的小規模なイベント会場等での演出に有用である。
【００６９】
次に、第３の実施の形態に係る発光制御システム１０Ｃについて、図５〜図７を参照しながら説明する。
【００７０】
第３の実施の形態に係る発光制御システム１０Ｃは、図５及び図６に示すように、複数の親機１４（１）〜１４（ｎ）にテープレコーダ５８（１）〜５８（ｎ）が各々接続され、各子機２４（１）〜２４（ｎ）に携帯電話機６０（１）〜６０（ｎ）が各々接続されている点で、第１の実施の形態に係る発光制御システム１０Ａ（図１及び図２参照）とは異なる。
【００７１】
この場合、各親機１４（１）〜１４（ｎ）は、増幅部３０で増幅された電気信号を復調するための復調部６２を有する。
【００７２】
各テープレコーダ５８（１）〜５８（ｎ）は、カセットテープ６４と、親機側制御部２６からの信号に基づいてカセットテープ６４の再生を指示する制御部６６と、前記カセットテープ６４に録音されている音声をアナログ信号として前記親機側制御部２６に出力する音声信号発生部６８とを有する。この場合、前記各テープレコーダ５８（１）〜５８（ｎ）の前記各カセットテープ６４には、各々異なる周波数帯域の音声が記憶されている。
【００７３】
各携帯電話機６０（１）〜６０（ｎ）は、親機用アンテナ３２から送信された電波を受信する携帯電話機用アンテナ７０と、受信した前記電波に基づく電気信号を増幅する増幅部７２と、増幅された前記電気信号を復調してアナログ信号を得るための復調部７４と、得られた前記アナログ信号を処理する制御部７６と、前記制御部７６からの信号の変調を行う変調部７８と、操作手段８０と、バッテリ８２とから構成される。
【００７４】
また、各子機２４（１）〜２４（ｎ）は、発光制御システム１０Ａにおける子機用アンテナ４２、復調部４４及び増幅部９０（図２参照）を有していない。
【００７５】
前記各携帯電話機６０（１）〜６０（ｎ）と前記各子機２４（１）〜２４（ｎ）とは、例えば、前記各携帯電話機６０（１）〜６０（ｎ）の図示しないイヤホン端子を介して接続されている。
【００７６】
次に、発光制御システム１０Ｃの動作について説明する。
【００７７】
先ず、図７に示すように、例えば、イベント会場内において、携帯電話機６０（１）〜６０（ｎ）（図６及び図７参照）を携帯する観客が操作手段８０を操作して、親機１４（１）〜１４（ｎ）のうち、１つの親機に対して通話を行う（ステップＳ１）。この場合、前記観客は、前記１つの親機の電話番号を操作手段８０を用いて前記各携帯電話機６０（１）〜６０（ｎ）に入力する。
【００７８】
ステップＳ１の処理において、制御部７６は、前記電話番号に基づくデジタルデータ（送信要求信号）を変調部７８に転送する。前記変調部７８は、前記送信要求信号を電波として送信することができる高周波信号（搬送波）に重畳させる変調処理を行う。変調された前記搬送波は増幅部７２において増幅され、さらに携帯電話機用アンテナ７０から電波として前記１つの親機に送信される。
【００７９】
ここで、各携帯電話機用アンテナ７０から送信された前記各電波は、親機１４（１）〜１４（ｎ）の親機用アンテナ３２で受信され、その後、前記各電波による電気信号は増幅部３０で増幅され、さらに復調部６２で復調されてデジタルデータに変換される（ステップＳ２）。
【００８０】
前記デジタルデータは親機側制御部２６に入力され、前記親機側制御部２６は、前記デジタルデータに基づいてテープレコーダ５８（１）〜５８（ｎ）の再生処理を指示するための再生指示信号を制御部６６に出力する。
【００８１】
前記制御部６６は、前記再生指示信号の入力に基づいてカセットテープ６４の再生を実行する（ステップＳ４）。前記カセットテープ６４に録音されている音声は、音声信号発生部６８においてアナログ信号に変換され、前記音声信号発生部６８は、前記アナログ信号を親機側制御部２６に出力する（ステップＳ５）。
【００８２】
前記親機側制御部２６は、入力された前記アナログ信号を変調部２８に転送し、前記変調部２８は、前記アナログ信号を電波として送信することができる高周波信号（搬送波）に重畳させる変調処理を行う。変調された前記搬送波は、増幅部３０において増幅され（ステップＳ６）、さらに親機用アンテナ３２から電波として各携帯電話機６０（１）〜６０（ｎ）に送信される（ステップＳ７）。
【００８３】
親機用アンテナ３２から送信された電波は、各携帯電話機６０（１）〜６０（ｎ）の携帯電話機用アンテナ７０で同時に受信され、その後、前記電波による電気信号は増幅部７２で増幅され、さらに復調部７４において復調されてアナログ信号となる（ステップＳ８）。次いで、前記復調部７４から出力された前記アナログ信号は、前記制御部７６を介して子機２４（１）〜２４（ｎ）に出力される。
【００８４】
入力された前記アナログ信号のうち、１０〜２０ｋＨｚの信号は高音用フィルタ部４６ａを通過し、１〜１０ｋＨｚの信号は中音用フィルタ部４６ｂを通過し、２０Ｈｚ〜１ｋＨｚの信号は低音用フィルタ部４６ｃを通過する。
【００８５】
ここで、高音用フィルタ部４６ａ及び増幅部４８ａを通過した前記信号のレベルが、赤ＬＥＤ５０の発光レベルよりも高ければ、前記信号に基づいて前記赤ＬＥＤ５０から赤色光が発光する。また、中音用フィルタ部４６ｂ及び増幅部４８ｂを通過した前記信号のレベルが、緑ＬＥＤ５２の発光レベルよりも高ければ、前記信号に基づいて前記緑ＬＥＤ５２から緑色光が発光する。さらに、低音用フィルタ部４６ｃ及び増幅部４８ｃを通過した前記信号のレベルが、青ＬＥＤ５４の発光レベルよりも高ければ、前記信号に基づいて前記青ＬＥＤ５４から青色光が発光する。
【００８６】
この場合、各テープレコーダ５８（１）〜５８（ｎ）の各カセットテープ６４には、異なる周波数領域の音声が録音されているので、各携帯電話機６０（１）〜６０（ｎ）が異なる親機１４（１）〜１４（ｎ）に送信要求信号を各々送信すれば、各発光部２２（１）〜２２（ｎ）から異なる色の光が発光したり、前記各発光部２２（１）〜２２（ｎ）の輝度が変化する。
【００８７】
第３の実施の形態に係る発光制御システム１０Ｃでは、各携帯電話機６０（１）〜６０（ｎ）が、各親機１４（１）〜１４（ｎ）のうち、１つの親機を選択して送信要求信号を送信し、前記各親機１４（１）〜１４（ｎ）は、前記各携帯電話機６０（１）〜６０（ｎ）を介して前記子機２４（１）〜２４（ｎ）にアナログ信号を送信する。
【００８８】
この場合、各親機１４（１）〜１４（ｎ）に接続される各テープレコーダ５８（１）〜５８（ｎ）のカセットテープ６４に周波数帯域の異なる音声が記憶されていれば、前記各親機１４（１）〜１４（ｎ）から各子機２４（１）〜２４（ｎ）に異なるアナログ信号が各々送信されるので、各発光部２２（１）〜２２（ｎ）から異なる色の光が発光したり、前記各発光部２２（１）〜２２（ｎ）の輝度が変化する。そのため、イベント会場全体において、文字や絵等の意味のある表現を、前記各発光部２２（１）〜２２（ｎ）からの発光で表現させることが可能となる。
【００８９】
なお、本発明に係る発光制御システムは、上述の実施の形態に限らず、本発明の要旨を逸脱することなく、種々の構成を採り得ることはもちろんである。
【図面の簡単な説明】
【００９０】
【図１】第１の実施の形態に係る発光制御システムの構成図である。
【図２】図１の発光制御システムのブロック図である。
【図３】子機の一実施態様を示す斜視図である。
【図４】第２の実施の形態に係る発光制御システムのブロック図である。
【図５】第３の実施の形態に係る発光制御システムの構成図である。
【図６】図５の発光制御システムのブロック図である。
【図７】第３の実施の形態に係る発光制御システムの処理を示すフローチャートである。
【符号の説明】
【００９１】
１０Ａ、１０Ｂ、１０Ｃ…発光制御システム
１４、１４（１）〜１４（ｎ）…親機
１６、５６…マイクロホン        １８…音声信号発生装置
２０…無線                      ２２、２２（１）〜２２（ｎ）…発光部
２６…親機側制御部              ２８、７８…変調部
３０、４８ａ〜４８ｃ、７２、９０…増幅部
３２…親機用アンテナ            ３４…低音信号発生部
３６…中音信号発生部            ３８…高音信号発生部
４０…音声合成部                ４２…子機用アンテナ
４４、６２、７４…復調部        ４６ａ…高音用フィルタ部
４６ｂ…中音用フィルタ部        ４６ｃ…低音用フィルタ部
５０…赤ＬＥＤ                  ５２…緑ＬＥＤ
５４…青ＬＥＤ                  ５８（１）〜５８（ｎ）…テープレコーダ
６０（１）〜６０（ｎ）…携帯電話機
６４…カセットテープ            ６６、７６…制御部
６８…音声信号発生部            ７０…携帯電話機用アンテナ
８０…操作手段                  ８２…バッテリ
【図１】
2005251450.tif 000003
【図２】
2005251450.tif 000004
【図３】
2005251450.tif 000005
【図４】
2005251450.tif 000006
【図５】
2005251450.tif 000007
【図６】
2005251450.tif 000008
【図７】
2005251450.tif 000009